(57)【要約】【課題】容易且つ高速に、受信信号の変調方式を識別することが可能な受信機を提供する。【解決手段】復調器９において受信信号１の復調を行う前に、受信信号１の包絡線を検出し、この包絡線から受信信号１の変調方式を識別する。ユニークワードのパタン比較を行なわずに変調方式を識別できるので、識別された変調方式が復調器９に伝達されることで、高速且つ容易にキャリアセンスを行うことができる。【選択図】図１
2008079188.tif 000002
【特許請求の範囲】
【請求項１】
受信した信号から包絡線を検出する第１の検出器と、
前記第１の検出器によって検出された包絡線から変調方式を識別し、判定結果を出力する第１の判定回路と、
前記第１の判定回路によって判定された変調方式で前記信号を復調する復調器とを備えている受信機。
【請求項２】
前記信号の電界強度を検出する第２の検出器と、
前記第２の検出器で検出された電界強度がしきい値以上である場合には前記復調器に前記信号を復調させ、前記電界強度が前記しきい値未満である場合には前記復調器の動作を停止させる第２の判定回路とをさらに備えていることを特徴とする請求項１に記載の受信機。
【請求項３】
前記復調器が出力する前記制御電圧によって利得が制御されるＡＧＣアンプと、
前記ＡＧＣアンプの出力信号をデジタル変換して前記復調器に出力するＡＤコンバータとをさらに備え、
前記第１の検出器にはアナログの前記信号が入力されることを特徴とする請求項１に記載の受信機。
【請求項４】
アナログ信号を用いて前記信号の電界強度を検出する第２の検出器と、
前記第２の検出器で検出された電界強度がしきい値以上である場合には前記復調器に前記信号を復調させ、前記電界強度が前記しきい値未満である場合には前記復調器の動作を停止させる第２の判定回路とをさらに備えていることを特徴とする請求項３に記載の受信機。
【請求項５】
前記復調器が出力する前記制御電圧によって利得が制御されるＡＧＣアンプと、
前記ＡＧＣアンプの出力信号をデジタル変換して前記復調器および前記第１の検出器に出力するＡＤコンバータとをさらに備えていることを特徴とする請求項１に記載の受信機。
【請求項６】
前記信号の電界強度を検出する第２の検出器と、
前記第２の検出器で検出された電界強度がしきい値以上である場合には前記復調器に前記信号を復調させ、前記電界強度が前記しきい値未満である場合には前記復調器の動作を停止させる第２の判定回路とをさらに備え、
前記ＡＤコンバータは、デジタル変換された前記ＡＧＣアンプの出力信号を前記第２の検出器にも出力することを特徴とする請求項５に記載の受信機。
【請求項７】
半導体チップ上に集積されていることを特徴とする請求項１〜６のうちいずれか１つに記載の受信機。
【請求項８】
受信した信号の出力を飽和させるリミッタアンプと、
前記リミッタアンプの出力信号を定包絡線の変調方式で復調する第１の復調器と、
前記リミッタアンプの出力信号から包絡線を検出する第１の検出器と、
前記第１の検出器により検出された包絡線を用いて包絡線検波を行う第２の復調器と、
前記第１の検出器により検出された包絡線から前記信号の変調方式を識別する第１の判定回路と、
前記第１の判定回路の判定結果に基づいて、前記第１の復調器の出力信号と前記第２の復調器の出力信号のうちいずれか一方を選択するセレクタとを備えている受信機。
【請求項９】
前記リミッタアンプの出力信号から前記信号の電界強度を検出する第２の検出器と、
前記第２の検出器で検出された電界強度がしきい値以上である場合には、前記第１の復調器の出力信号と前記第２の復調器の出力信号のうちいずれか一方を前記セレクタに選択させ、前記第２の検出器で検出された電界強度が前記しきい値未満である場合には、前記セレクタの動作を停止させる第２の判定回路とをさらに備えていることを特徴とする請求項８に記載の受信機。
【請求項１０】
半導体チップ上に集積されていることを特徴とする請求項８または９に記載の受信機。
【発明の詳細な説明】
【技術分野】
【０００１】
本発明は、包絡線の異なる少なくとも２つの変調方式を用いる受信機に関するものである。
【背景技術】
【０００２】
近年研究が盛んに行われている狭域通信システム（ＤＳＲＣ）に代表される無線通信システムでは、変調波の包絡線が異なる少なくとも２つの変調方式が用いられる場合がある。例えば、ＤＳＲＣではＡＳＫ（Amplitude Shift keying）、及びπ／４−ＱＰＳＫ（Quadrature Phase Shift Keying）の２つの変調方式を採用している。受信機はキャリアセンスを行い通信エリア内に通信すべき相手がいるのかどうかを探索する。そして、受信すべき信号が入力されると、受信機内の復調器においてＡＳＫ、及びπ／４−ＱＰＳＫの両方で復調を試みて、復調したデータのプリアンブルをパタン比較し、どちらの方式により変調された信号であるのかを識別する。さらに変調方式が確定した後、確定した変調方式でフレーム生成を行い、上位層での処理を実行する。
【特許文献１】特許第３５７６８８０号
【発明の開示】
【発明が解決しようとする課題】
【０００３】
しかしながら、上記の構成では、変調信号を２つの方式で同時に復調し、さらにプリアンブルのパタンを比較して変調方式を識別するので、特にキャリアセンス時に受信すべき信号であるかを判定するのに時間がかかり、希望する信号を確実に受信する受信機を実現することが困難であった。特に、ＤＳＲＣのような瞬時に通信を行う無線システムにおいては変調方式の判定に時間を要することは、大きな問題となる。
【０００４】
本発明は上記従来の不具合の解決を図るものであり、容易に、かつ高速に受信信号の変調方式を識別することが可能な受信機の提供を目的とする。
【課題を解決するための手段】
【０００５】
上記課題を解決するために、本発明の第１の受信機は、受信した信号から包絡線を検出する第１の検出器と、前記第１の検出器によって検出された包絡線から変調方式を識別し、判定結果を出力する第１の判定回路と、前記第１の判定回路によって判定された変調方式で前記信号を復調する復調器とを備えている。
【０００６】
この構成によれば、受信信号を復号する際に、包絡線から受信信号の変調方式を識別できるので、２つ以上の変調方式で復調する必要が無くなり、高速に信号を復調することが可能となる。変調された信号の包絡線が相異なっている変調方式であればこの受信機で識別することができる。例えば、受信機が狭域通信で用いられる場合、ＡＳＫとＱＰＳＫ、ＡＳＫとＦＳＫなどを識別することができる。
【０００７】
さらに、受信信号の電界強度が所定値以上であるか否かを判定し、この判定結果に基づいて復調を開始するか否かを判断することにより、ノイズ等の影響を受けにくく、誤動作の少ない受信機を実現することができる。
【０００８】
なお、包絡線の検出や電界強度の検出はアナログ信号を用いてもよいし、デジタル信号を用いてもよい。
【０００９】
本発明の第２の受信機は、受信した信号の出力を飽和させるリミッタアンプと、前記リミッタアンプの出力信号を定包絡線の変調方式で復調する第１の復調器と、前記リミッタアンプの出力信号から包絡線を検出する第１の検出器と、前記第１の検出器により検出された包絡線を用いて包絡線検波を行う第２の復調器と、前記第１の検出器により検出された包絡線から前記信号の変調方式を識別する第１の判定回路と、前記第１の判定回路の判定結果に基づいて、前記第１の復調器の出力信号と前記第２の復調器の出力信号のうちいずれか一方を選択するセレクタとを備えている。
【００１０】
本発明の受信機では、変調信号の包絡線が一定（直線状）となる変調方式で復調するとともに、検出された包絡線を用いて包絡線検波を行うが、包絡線を用いた判定回路の出力に基づいていずれの方式で復調された信号を出力するかが選択される。このため、ユニークワードの一致を確認することなく受信信号の復号を行うことができるので、高速にキャリアセンスを行うことが可能となっている。
【発明の効果】
【００１１】
本発明の受信機は、包絡線の異なる少なくとも２つの変調方式に対応する受信機において、包絡線を検出し、包絡線の違いにより変調方式を識別することで、ユニークワードの一致などの手順を踏むことなく信号の復調を行うことができる。このため、高速に受信信号の探索を行うことができる。
【発明を実施するための最良の形態】
【００１２】
（第１の実施形態）
図１は、本発明の第１の実施形態に係る受信機を示すブロック図である。
【００１３】
同図に示すように、本実施形態の受信機１０１は、受信信号１を増幅するＬＮＡ（低雑音アンプ）２と、増幅された受信信号１を周波数変換するミキサー３と、周波数変換された受信信号１を増幅するＩＦＡＭＰ４と、ＩＦＡＭＰ４により増幅された受信信号１の信号帯域のみを通過させるＢＰＦ（Band-Pass filter）５と、ＢＰＦ５の出力信号を受け、利得をＡＧＣコントロール電圧１０によって可変できるＡＧＣ（Automatic Gain Control）アンプ７と、ＡＧＣアンプ７の出力信号をデジタル変換するＡＤコンバータ８と、デジタル変換された信号を復調して復調信号６を出力するとともに、ＡＤコンバータ８の入力電圧を一定にするようにＡＧＣコントロール電圧１０を出力する復調器９と、ＢＰＦ５の出力信号から包絡線を検出する検出器１１と、検出器１１によって検出された包絡線から変調方式を識別し、復調器９に判定結果を出力する判定回路１２とを備えている。受信機１０１において、検出器１１は、例えば、ＢＰＦ５の出力信号を１本のダイオードに通し、その出力を抵抗器とコンデンサの並列回路で受けるような構成を有している。また、復調器９は、判定回路１２で判定された変調方式で信号を復調する。
【００１４】
また、受信機１０１に含まれる回路は１つのチップ上に集積化することが可能である。この場合には、処理速度の向上を図ることや、受信機を搭載する受信装置のサイズの縮小
を図ることが可能となる。
【００１５】
受信機１０１がＤＳＲＣに用いられる場合、上述のようにＡＳＫとπ／４−ＱＰＳＫの２つの変調方式によって変調された信号を復調する必要がある。図７に示すように、ＡＳＫによる変調信号の包絡線は所定の振幅を持った曲線であるのに対し、ＱＰＳＫによる変調信号の包絡線は直線状である。そのため、両方式の包絡線のパターンをあらかじめ受信機１０１に記憶させておけば、検出器１１で検出された包絡線とあらかじめ記憶された包絡線パターンとを判定回路１２が比較することにより、受信信号１の変調方式を判定することができる。ここで、判定回路１２においては、検出された包絡線の傾きや形状を検出して記憶された包絡線パターンと比較する。例えば、受信信号１がＡＳＫで変調された信号である場合には判定回路１２の出力側端子ＭＯＤ１３はＨレベルとなり、復調器９はＡＳＫにより信号を復調する。受信信号１がＱＰＳＫで変調された信号である場合には判定回路１２の出力側端子ＭＯＤ１３はＬレベルとなり、復調器９はＱＰＳＫにより信号を復調する。
【００１６】
従来の受信機は、変調信号の包絡線を検出する検出器１１と変調方式を識別する判定回路１２とを備えておらず、変調信号の判定の際に復調器において実際に復調を行い、ユニークワードなどの一致を確認して変調方式の識別を行っていた。これに対し、本実施形態の受信機１０１では、ユニークワードの検出を行うことなく、判定回路１２によって変調方式を識別できるので、高速に受信信号の変調方式を識別することができ、高速なキャリアセンスを実現することができる。
【００１７】
なお、判定回路１２では、上述した方法の代わりに、抽出された包絡線の平均電圧を求めることによっても変調方式を判定することができる。
【００１８】
また、検出器１１は上述の構成に限られず、例えばＲＳＳＩ回路で入力信号を電流に変換して包絡線を抽出するような構成であってもよい。
【００１９】
なお、本実施形態ではＱＰＳＫとＡＳＫとを識別して復調する例を説明したが、包絡線の相異なる変調方式であれば本実施形態の受信機を適用できる。例えばＦＳＫ（Frequency Shift Keying）とＡＳＫとを識別することも可能である。
【００２０】
（第２の実施形態）
図２は、本発明の第２の実施形態に係る受信機を示すブロック図である。
【００２１】
同図に示すように、受信機１０２は、受信信号１を増幅するＬＮＡ２と、増幅された受信信号１を周波数変換するミキサー３と、周波数変換された受信信号１を増幅するＩＦＡＭＰ４と、増幅された受信信号１の信号帯域のみを通過させるＢＰＦ５と、利得をＡＧＣコントロール電圧１７によって可変できるＡＧＣアンプ１４と、ＡＧＣアンプ１４の出力信号をデジタル変換するＡＤコンバータ１５と、デジタル変換された信号を復調するとともに、ＡＤコンバータ８の入力電圧を一定にするようにＡＧＣコントロール電圧１７を出力する復調器１６と、ＢＰＦ５の出力信号から包絡線を検出する第１の検出器１８と、第１の検出器１８によって検出された包絡線から変調方式を識別し、復調器１６に判定結果を出力する第１の判定回路１９と、ＢＰＦ５の出力信号からＬＮＡ２が受信した受信信号１の電界強度を検出する第２の検出器２１と、第２の検出器２１によって検出された電界強度が受信すべきレベルにあるか否かを判定し、復調器１６に判定結果を出力する第２の判定回路２２とを備えている。
【００２２】
図８は、本実施形態の受信機１０２の判定動作および復調動作を説明する図である。図８は、受信機１０２がＤＳＲＣに用いられる場合の例を示している。
【００２３】
例えば、受信信号１がＡＳＫで変調された信号である場合には、第１の判定回路１９の出力側端子ＭＯＤ２０はＨレベルとなる。ここで、第２の判定回路２２には受信信号１が有効な信号として処理すべきか否かの電界強度のしきい値が保持されている。第２の検出器２１によって検出された電界強度がこのしきい値を下回る場合には第２の判定回路２２の出力側端子ＣＳ６５はＬレベルとなり、復調器１６は動作しない。これに対し、第２の検出器２１によって検出された電界強度がしきい値以上である場合には第２の判定回路２２の出力側端子ＣＳ６５はＨレベルとなり、復調器１６はＡＳＫにより信号を復調する。
【００２４】
一方、受信信号１がＱＰＳＫで変調された信号である場合には、第１の判定回路１９の出力側端子ＭＯＤ２０はＬレベルになる。この時、第２の検出器２１によって検出された電界強度がしきい値を下回る場合には第２の判定回路２２の出力側端子ＣＳ６５はＬレベルとなり、復調器１６は動作しない。これに対し、第２の検出器２１によって検出された電界強度がしきい値以上である場合には第２の判定回路２２の出力側端子ＣＳ６５はＨレベルとなり、復調器１６はＱＰＳＫにより信号を復調する。なお、第１の検出器１８および第１の判定回路１９の動作はそれぞれ第１の実施形態の受信機１０１における検出器１１および判定回路１２と同じであるので詳細な説明は省略する。
【００２５】
第１の実施形態の受信機１０１は包絡線の違いにより変調信号を復調することなく変調方式を識別し、高速にキャリアセンスを行っていたが、本実施形態の受信機１０２は、さらに電界強度の情報を復調器１６に送ることによって、高速に変調方式を識別することができ、高速なキャリアセンスが実現できる上、誤動作等を防ぐことができる。さらに、十分に電界強度の大きい信号のみを復調器が復調するため、従来の受信機に比べて消費電力を低減することもできる。
【００２６】
なお、第２の判定回路２２は、変調方式ごとに異なるしきい値を保持していてもよいし、共通のしきい値を保持していてもよい。実際の受信装置に搭載する場合には、しきい値は無線規格で定められた値をとる。
【００２７】
（第３の実施形態）
図３は、本発明の第３の実施形態に係る受信機を示すブロック図である。
【００２８】
同図に示すように、受信機１０３は、受信信号１を増幅するＬＮＡ２と、増幅された受信信号１を周波数変換するミキサー３と、周波数変換された受信信号１を増幅するＩＦＡＭＰ４と、増幅された受信信号１の信号帯域のみを通過させるＢＰＦ５と、利得をＡＧＣコントロール電圧２７によって可変できるＡＧＣアンプ２３と、ＡＧＣアンプ２３の出力信号をデジタル変換するＡＤコンバータ２５と、デジタル変換された信号を復調するとともに、ＡＤコンバータ２５の入力電圧を一定にするようにＡＧＣコントロール電圧２７を出力する復調器２６と、ＡＤコンバータ２５の出力信号から包絡線を検出する検出器２８と、検出器２８によって検出された包絡線から変調方式を識別し、復調器２６に判定結果を出力する判定回路２９とを備えている。
【００２９】
例えば、受信信号１がＡＳＫで変調された信号である場合には判定回路２９の出力側端子ＭＯＤ６０はＨレベルとなり、復調器２６はＡＳＫにより信号を復調する。受信信号１がＱＰＳＫで変調された信号である場合には判定回路２９の出力側端子ＭＯＤ６０はＬレベルとなり、復調器２６はＱＰＳＫにより信号を復調する。
【００３０】
第１の実施形態の受信機１０１では包絡線の検出、及び変調方式の判定をアナログ信号を用いて行っていたが、本実施形態の受信機１０３では、これらの処理をデジタル信号を用いて行っている。このため、本実施形態の受信機１０３は、第１の実施形態の受信機１０１と比べてチップ上に集積する際の集積度を上げることができる。さらに、アナログ信号を処理する場合に比べて信号のばらつきの影響、およびノイズ等の影響を受けにくくなっている。そのため、第１の実施形態と同様の高速なキャリアセンスをより確実に行うことができる。
【００３１】
（第４の実施形態）
図４は、本発明の第４の実施形態に係る受信機を示すブロック図である。
【００３２】
同図に示すように、受信機１０４は、受信信号１を増幅するＬＮＡ２と、増幅された受信信号１を周波数変換するミキサー３と、周波数変換された受信信号１を増幅するＩＦＡＭＰ４と、増幅された受信信号１の信号帯域のみを通過させるＢＰＦ５と、利得をＡＧＣコントロール電圧３４によって可変できるＡＧＣアンプ３１と、ＡＧＣアンプ３１の出力信号をデジタル変換するＡＤコンバータ３２と、デジタル変換された信号を復調するとともに、ＡＤコンバータ３２の入力電圧を一定にするようにＡＧＣコントロール電圧３４を出力する復調器３３と、ＡＤコンバータ３２の出力信号から包絡線を検出する第１の検出器３５と、第１の検出器３５によって検出された包絡線から変調方式を識別し、復調器３３に判定結果を出力する第１の判定回路３６と、ＡＤコンバータ３２の出力信号からＬＮＡ２が受信した受信信号１の電界強度を検出する第２の検出器３８と、第２の検出器３８によって検出された電界強度が受信すべきレベルにあるか否かを判定し、復調器３３に判定結果を出力する第２の判定回路３９とを備えている。
【００３３】
受信機１０４の判定動作および復調動作は、デジタル信号を用いること以外は基本的に第２の実施形態の受信機１０２と同じである。
【００３４】
すなわち、受信信号１がＡＳＫで変調された信号である場合には、第１の判定回路３６の出力側端子ＭＯＤ３７はＨレベルとなる。ここで、第２の判定回路３９には受信信号１が有効な信号として処理すべきか否かの電界強度のしきい値が保持されている。第２の検出器３８によって検出された電界強度がこのしきい値を下回る場合には第２の判定回路３９の出力側端子ＣＳ４０はＬレベルとなり、復調器３３は動作しない。これに対し、第２の検出器３８によって検出された電界強度がしきい値以上である場合には第２の判定回路３９の出力側端子ＣＳ４０はＨレベルとなり、復調器３３はＡＳＫにより信号を復調する。
【００３５】
一方、受信信号１がＱＰＳＫで変調された信号である場合には、第１の判定回路３６の出力側端子ＭＯＤ３７はＬレベルになる。この時、第２の検出器３８によって検出された電界強度がしきい値を下回る場合には第２の判定回路３９の出力側端子ＣＳ４０はＬレベルとなり、復調器３３は動作しない。これに対し、第２の検出器３８によって検出された電界強度がしきい値以上である場合には第２の判定回路３９の出力側端子ＣＳ４０はＨレベルとなり、復調器３３はＱＰＳＫにより信号を復調する。
【００３６】
本実施形態の受信機１０４のように、包絡線の検出、及び変調方式の判定、電界強度の検出、及び、受信するかどうかの判定をアナログ信号ではなくデジタル信号を用いて行うことも可能である。本実施形態の受信機１０４では、集積化した際の集積度を上げることができるとともに、アナログ信号を用いる場合に比べて信号のばらつきの影響やノイズの影響を受けにくくなっている。そのため、第１の実施形態と同様の高速なキャリアセンスをより確実に行うことができる。
【００３７】
（第５の実施形態）
図５は、本発明の第５の実施形態に係る受信機を示すブロック図である。
【００３８】
同図に示すように、受信機１０５は、受信信号１を増幅するＬＮＡ２と、増幅された受信信号１を周波数変換するミキサー３と、周波数変換された受信信号１を増幅するＩＦＡＭＰ４と、増幅された受信信号１の信号帯域のみを通過させるＢＰＦ５と、ＢＰＦ５の出力を飽和させるＬＩＭ（リミッタアンプ）４１と、変調信号の包絡線が一定（直線状）となる変調方式でＬＩＭ４１の出力信号を復調する第１の復調器４２と、ＬＩＭ４１の出力信号から包絡線を検出する検出器４４と、検出器４４によって検出された包絡線を用いて包絡線検波を行う第２の復調器４５と、検出器４４の出力信号から変調方式を識別する判定回路４６と、第１の復調器４２の出力信号または第２の復調器４５の出力信号を判定回路４６の判定結果に基づいて選択して受信し、復調信号６として出力するセレクタ４３とを備えている。変調方式がＱＰＳＫである場合、ＬＩＭ４１は入力された信号を振幅方向に飽和させる。
【００３９】
本実施形態の受信機１０５では、ＡＤコンバータが用いられず、２つの復調器が設けられている。本実施形態の場合、第１の復調器４２はＱＰＳＫに基づいて信号を復調し、第２の復調器４５はＡＳＫに基づいて信号を復調する。そして、例えば受信信号１がＡＳＫにより変調されたものであれば、判定回路４６の出力側端子ＭＯＤ４７はＨレベルとなり、セレクタ４３は第２の復調器４５によってＡＳＫで復調された信号を選択する。
【００４０】
これに対し、受信信号１がＱＰＳＫにより変調されたものであれば、判定回路４６の出力側端子ＭＯＤ４７はＬレベルとなり、セレクタ４３は第１の復調器４２によって復調された信号を選択する。なお、本実施形態では、第１の復調器４２は常時ＱＰＳＫに基づいて信号を復調している。
【００４１】
本実施形態の受信機１０５においては、ＡＤコンバータを用いず、また、ユニークワードの一致を確認することなく受信信号を選択することができるので、高速なキャリアセンスが実現されている。また、ＡＧＣとＡＤコンバータを用いる場合に比べ、本実施形態の受信機１０５は著しく面積が小さくなっている。このため、受信機を備えた受信機器のさらなる小型化を図ることができる。
【００４２】
（第６の実施形態）
図６は、本発明の第６の実施形態に係る受信機を示すブロック図である。
【００４３】
同図に示すように、受信機１０６は、受信信号１を増幅するＬＮＡ２と、増幅された受信信号１を周波数変換するミキサー３と、周波数変換された受信信号１を増幅するＩＦＡＭＰ４と、増幅された受信信号１の信号帯域のみを通過させるＢＰＦ５と、ＢＰＦ５の出力を飽和させるＬＩＭ４８と、変調信号の包絡線が一定（直線状）となる変調方式でＬＩＭ４８の出力信号を復調する第１の復調器４９と、ＬＩＭ４８の出力信号から包絡線を検出する第１の検出器５１と、第１の検出器５１によって検出された包絡線を用いて包絡線検波を行う第２の復調器５２と、第１の検出器５１の出力信号から変調方式を識別する第１の判定回路５３と、ＬＩＭ４８の出力信号からＬＮＡ２が受信した受信信号１の電界強度を検出する第２の検出器５５と、第２の検出器５５によって検出された電界強度が受信すべきレベルにあるか否かを判定し、判定結果を出力する第２の判定回路５６と、第１の復調器４９の出力または第２の復調器５２の出力を第１の判定回路５３の判定結果と第２の判定回路５６の判定結果とに応じて選択し、復調信号６２として出力するセレクタ５０とを備えている。
【００４４】
本実施形態の受信機１０６において、第１の復調器４９は例えばＱＰＳＫによる復調を行い、第２の復調器４５はＡＳＫによる復調を行う。
【００４５】
受信信号１がＡＳＫにより変調されたものであれば、第１の判定回路５３の出力側端子ＭＯＤ５４はＨレベルとなり、受信信号１の電界強度が所定のしきい値以上であればセレクタ５０は第２の復調器５２によってＡＳＫで復調された信号を選択する。また、受信信号１の電界強度がしきい値未満であればセレクタ５０は動作を停止する。
【００４６】
これに対し、受信信号１がＱＰＳＫにより変調されたものであれば、第１の判定回路５３の出力側端子ＭＯＤ５４はＬレベルとなり、セレクタ４３は第１の復調器４２によって復調された信号を選択する。受信信号１の電界強度が所定のしきい値以上であればセレクタ５０は第２の復調器５２によってＡＳＫで復調された信号を選択する。また、受信信号１の電界強度がしきい値未満であればセレクタ５０は動作を停止する。
【００４７】
本実施形態の受信機１０６によれば、ＡＤコンバータを用いず、また、ユニークワードの一致を確認することなく受信信号を選択することができるので、高速なキャリアセンスを実現することができる。
【産業上の利用可能性】
【００４８】
本発明の受信機は、変調信号の包絡線が相異なる少なくとも２つの変調方式に対応する無線システムなどに有用である。
【図面の簡単な説明】
【００４９】
【図１】本発明の第１の実施形態に係る受信機を示すブロック図である。
【図２】本発明の第２の実施形態に係る受信機を示すブロック図である。
【図３】本発明の第３の実施形態に係る受信機を示すブロック図である。
【図４】本発明の第４の実施形態に係る受信機を示すブロック図である。
【図５】本発明の第５の実施形態に係る受信機を示すブロック図である。
【図６】本発明の第６の実施形態に係る受信機を示すブロック図である。
【図７】変調方式による包絡線の違いを示す図である。
【図８】本発明の受信機の判定動作および復調動作を説明する図である。
【符号の説明】
【００５０】
１  受信信号
２  ＬＮＡ
３  ミキサー
４  ＩＦＡＭＰ
５  ＢＰＦ
６、６２  復調信号
７、１４、２３、３１  ＡＧＣアンプ
４１、４８  ＬＩＭ
８、１５、２５、３２  ＡＤコンバータ
９、１６、２６、３３  復調器
１０、１７、２７、３４  ＡＧＣコントロール電圧
１１、２８、４４  検出器
１２、２９、４６  判定回路
１３、２０、３７、４７、５４、６０  出力側端子ＭＯＤ
１８、３５、５１  第１の検出器
１９、３６、５３  第１の判定回路
２２、３９、５６  第２の判定回路
２１、３８、５５  第２の検出器
２３、４０、５７、６５  出力側端子ＣＳ
４３、５０  セレクタ
１０１、１０２、１０３、１０４、１０５、１０６  受信機  
【図１】
2008079188.tif 000003
【図２】
2008079188.tif 000004
【図３】
2008079188.tif 000005
【図４】
2008079188.tif 000006
【図５】
2008079188.tif 000007
【図６】
2008079188.tif 000008
【図７】
2008079188.tif 000009
【図８】
2008079188.tif 000010